(57)【要約】【課題】被締結部材を固定部材にネジ止めする際、被締結部材がネジに連れ回されることを抑制する。【解決手段】被締結部材１０２とネジ１１９，１２０の頭部との間に締結用板金１０３を介在し、ネジ１１９，１２０によって被締結部材１０２を固定部材１０１に対して締結する締結機構であって、締結用板金１０３が、固定部材１０１を狭持する一対の突出片１０４，１０５を備える。【選択図】図３
2011157998.tif 000002
【特許請求の範囲】
【請求項１】
被締結部材とネジの頭部との間に締結用板金を介在し、前記ネジによって前記被締結部材を固定部に対して締結する締結機構であって、
前記締結用板金は、前記固定部を狭持する一対の突出片を備えることを特徴とする締結機構。
【請求項２】
被締結部材とネジの頭部との間に締結用板金を介在し、前記ネジによって前記被締結部材を固定部に対して締結する締結機構であって、
前記固定部から突出する２つ以上の位置決め用ピンと、
前記締結用板金に設けられると共に前記位置決め用ピンが挿通される貫通孔と
を備えることを特徴とする締結機構。
【請求項３】
被締結部材とネジの頭部との間に締結用板金を介在し、前記ネジによって前記被締結部材を固定部に対して締結する締結機構であって、
前記締結用板金は、前記被締結部材側に回り止め用の突起部を備えることを特徴とする締結機構。
【請求項４】
前記被締結部材は、イメージセンサを実装したセンサ基板であることを特徴とする請求項１〜３いずれかに記載の締結機構。
【請求項５】
被締結部材と、該被締結部材を固定部に対して締結するネジと、該ネジの頭部と前記被締結部材との間に介在される締結用板金とを備える画像形成装置であって、
請求項１〜４いずれかに記載の締結機構によって前記被締結部材を前記固定部に対して締結することを特徴とする画像形成装置。
【請求項６】
被締結部材と、該被締結部材を固定部に対して締結するネジと、該ネジの頭部と前記被締結部材との間に介在される締結用板金とを備える電子機器であって、
請求項１〜４いずれかに記載の締結機構によって前記被締結部材を前記固定部に対して締結することを特徴とする電子機器。
【発明の詳細な説明】
【技術分野】
【０００１】
本発明は、締結機構、画像形成装置及び電子機器に関する。
【背景技術】
【０００２】
従来から、複写機や複合機等の画像形成装置において、画像読取部は、原稿の画像に光を照射し、その反射光を受光することによって原稿の画像を画像データとして読み取るように構成されている。この画像読取部は、原稿に光を照射する光源装置や原稿からの戻り光を受光して画像データに変換するイメージセンサ等を備えて構成されている。
すなわち、この画像読取部は、原稿ガラス面上に載置された原稿の表面に光を照射するためのＬＥＤやキセノンランプ等の各種ランプからなる光源と、その原稿からの反射光を順次反射して集光レンズに導くミラー群と、集光レンズによって集められた光を電気信号に変換するＣＣＤ（Charge Coupled Device）やＣＭＯＳ（Complementary Metal Oxide Semiconductor）等のイメージセンサとを含んで構成されている。
【０００３】
上記画像読取部において、画像読取面、集光レンズ及びイメージセンの各部品間は、焦点距離が合致するように調整されるが、この際、イメージセンサを実装しているセンサ基板は、焦点距離の合致した位置で取付部にネジ止めされている。
特許文献１において、センサ基板に相当するＣＣＤ基板は、締結用部材を用いてネジ止めするようにしている。この締結用部材は、平坦部と、この平坦部の先端において直角に屈曲された直角屈曲部と、上記平坦部の他端において鈍角に屈曲された鈍角屈曲部と、上記平坦部と上記鈍角屈曲部とにまたがって設けられたネジの挿通穴とを有している。
上記構成からなる締結用部材は、平坦部の先端において、直角に屈曲された直角屈曲部を有しているので、センサ基板にネジの回転力が伝達されるのを抑制することができる。
【先行技術文献】
【特許文献】
【０００４】
【特許文献１】特開２００８−９５７８３号公報
【発明の概要】
【発明が解決しようとする課題】
【０００５】
しかしながら、位置調整されたセンサ基板が固定部にネジ止めされる際、センサ基板とビスとの間に摩擦が存在するため、センサ基板はビスに連れ回され、調整値がずれてしまうという欠点があった。
このような欠点は、上記特許文献１に示されるような締結用部材を用いてセンサ基板を取り付けた場合でも完全に防止することはできなかった。なぜならば、上記締結用部材は、ネジの締結トルクによる回り止めを直角に屈曲された一個の直角屈曲部のみで受けているので、直角屈曲部とその直角屈曲部が当接する固定部との間に隙間（ガタ）や、ネジとそのネジの挿通穴との間にクリアランスが存在する分、センサ基板が動いてしまうからである。さらに、センサ基板は、締結用部材で挟んで固定部に取り付ける構成であるため、ネジが緩んでセンサ基板がずれてしまうおそれがあった。
【０００６】
本発明は、上述する問題点に鑑みてなされたもので、被締結部材を固定部材にネジ止めする際、被締結部材がネジに連れ回されることのない締結機構を提供することを目的とする。
【課題を解決するための手段】
【０００７】
本発明は、上記課題を解決するための手段として、以下の構成を採用する。
【０００８】
第１の発明は、被締結部材とネジの頭部との間に締結用板金を介在し、上記ネジによって上記被締結部材を固定部に対して締結する締結機構であって、上記締結用板金が、上記固定部を狭持する一対の突出片を備えるという構成を採用する。
【０００９】
第２の発明は、被締結部材とネジの頭部との間に締結用板金を介在し、上記ネジによって上記被締結部材を固定部に対して締結する締結機構であって、上記固定部から突出する２つ以上の位置決め用ピンと、上記締結用板金に設けられると共に上記位置決め用ピンが挿通される貫通孔とを備えるという構成を採用する。
【００１０】
第３の発明は、被締結部材とネジの頭部との間に締結用板金を介在し、上記ネジによって上記被締結部材を固定部に対して締結する締結機構であって、上記締結用板金が、上記被締結部材側に回り止め用の突起部を備えるという構成を採用する。
【００１１】
第４の発明は、上記第１〜第３いずれかの発明において、上記被締結部材が、のイメージセンサを実装したセンサ基板であるという構成を採用する。
【００１２】
第５の発明は、被締結部材と、該被締結部材を固定部に対して締結するネジと、該ネジの頭部と上記被締結部材との間に介在される締結用板金とを備える画像形成装置であって、上記第１〜第４いずれかの発明である締結機構によって上記被締結部材を上記固定部に対して締結することを特徴とする画像形成装置。
【００１３】
第６の発明は、被締結部材と、該被締結部材を固定部に対して締結するネジと、該ネジの頭部と上記被締結部材との間に介在される締結用板金とを備える電子機器であって、上記第１〜第４いずれかの発明である締結機構によって上記被締結部材を上記固定部に対して締結することを特徴とする電子機器。
【発明の効果】
【００１４】
本発明によれば、締結用板金が一対の突出片によって固定部を狭持する。このため、ネジの回転によって締結用板金が連れまわされることを抑止し、さらに被締結部材が連れまわされることを抑止することができる。
また、本発明によれば、固定部から２つ以上の位置決め用ピンが突出し、締結用板金にこれらの位置決め用ピンが挿通する貫通孔が設けられている。このため、締結用板金が位置決め用ピンに係止され、これによってネジの回転によって締結用板金が連れまわることを抑止し、さらに被締結部材が連れまわされることを抑止することができる。
また、本発明によれば、締結用板金が被締結部材側に回り止め用の突起部を備えている。このため、ネジの回転によって締結用板金が連れまわされることを抑止し、さらに被締結部材が連れまわされることを抑止することができる。
【図面の簡単な説明】
【００１５】
【図１】本発明の一実施形態の複写機の概略構成を示す断面図である。
【図２】本発明の一実施形態の複写機が備える画像読取部のキャリッジをセンサ基板側から見た正面図である。
【図３】図２のＸ−Ｘ線断面図である。
【図４】図２のＡ部の拡大図である。
【発明を実施するための形態】
【００１６】
以下、図面を参照して、本発明に係る光走査装置及び画像形成装置の一実施形態について説明する。なお、以下の図面において、各部材を認識可能な大きさとするために、各部材の縮尺を適宜変更している。また、以下の説明においては、本発明の画像形成装置の一例として複写機を挙げて説明する。
【００１７】
図１は、本実施形態の複写機Ｐの概略構成を示す断面図である。この図に示すように、本実施形態の複写機Ｐは、原稿の画像を読み取る画像読取部１と、読み取った画像データに基づいて記録紙（記録媒体）に印刷を行う印刷部２とを備えている。
【００１８】
画像読取部１は、原稿ガラス１ａ面上に載置された原稿の画像に光を照射し、その反射光を受光することによって原稿の画像を画像データとして読み取るものであり、原稿ガラス１ａ面と平行に設けられたガイドレール１ｂに沿って往復動するキャリッジ１ｃを有している。
このキャリッジ１ｃ内には、図示しないが、原稿ガラス面１ａ上に載置された原稿の表面に光を照射するためのＬＥＤやキセノンランプ等の各種ランプからなる光源と、その原稿からの反射光を順次反射して集光レンズに導くミラー群と、集光レンズによって集められた光を電気信号に変換するＣＣＤやＣＭＯＳ等のイメージセンサとを含んで構成されている。このイメージセンサを実装したセンサ基板は、キャリッジ１ｃの一方の側面側（図１において左側面側）に設けられている。
このキャリッジ１ｃに対するセンサ基板の締結機構については、後に詳述する。
【００１９】
印刷部２は、ベルトユニット６と、画像形成ユニット７と、給紙カセット８と、給紙トレイ９と、二次転写部１０と、定着部１１と、排紙トレイ１２と、搬送路１３とを備えている。
【００２０】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２１】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２２】
各画像形成ユニット７は、感光体７１と、帯電器７２と、レーザスキャニングユニット（光走査装置）７３と、現像装置７４と、一次転写ローラ７５と、クリーニング装置７６及び不図示の除電装置等とを有する。
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出されるレーザ光を帯電状態の感光体７１の周面において走査するものである。現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２３】
給紙カセット８は、装置本体に対して引き出し自在であり、記録紙を収容するものである。給紙トレイ９は、装置本体に対して開閉自在であり、記録紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
定着部１１は、記憶媒体上に二次転写されたトナー像を記録紙に定着させるものであり、加圧及び加熱することによりトナー像を記録紙に定着させる加熱ローラを備える。
搬送路１３は、給紙カセット８から記憶紙を搬出するピックアップローラ１３ａ、記憶媒体を搬送する給紙ローラ１３ｂ、排紙トレイ１２に記憶媒体を排紙する排紙ローラ１３ｃ等を備える。
【００２４】
このような構成を有する本実施形態の複写機Ｐは、上述のように、画像読取部１において画像データを取得し、さらに印刷部２が当該画像データに基づいて記録紙に印刷を行う。
【００２５】
次に、キャリッジ１ｃ（固定部）に対するセンサ基板の締結機構１００について、図２〜図４を用いて説明する。ここで、図２はキャリッジ１ｃをセンサ基板側から見た正面図であり、図３は図２のＸ−Ｘ線断面図であり、図４は図２のＡ部の拡大図である。
【００２６】
この締結機構１００は、キャリッジ１ｃに対してセンサ基板１０２を締結するための機構であり、固定部材１０１に被締結部材であるセンサ基板１０２を締結する際に用いられる締結用板金１０３を有している。
また、締結機構１００は、固定部材１０１から突出する位置決め用ピン１０６，１０７と、締結用板金１０３に設けられると共に上記位置決め用ピン１０６，１０７が挿通される貫通孔１１０，１１１を有している。
さらに、締結機構１００は、締結用板金１０３のセンサ基板１０２側に形成される突起部１１８を有している。
【００２７】
固定部材１０１は、キャリッジ１ｃの一方の側面側（図１において左側面側）に固定して設けられていて、キャリッジ１ｃの一部として構成されている。この固定部材１０１のセンサ基板１０２側の面は、扁平な面に形成されている。なお、この扁平な面の一部分は、図示しないが、センサ基板１０２の一部分がキャリッジ１ｃ内に露出できるようにするための窓が設けられている。
この固定部材１０１には、上部のセンサ基板１０２側には互いに所定の間隔を保って一対の位置決め用ピン１０６，１０７が突出して設けられていると共に、下部の突出片１０５側には、互いに所定の間隔を保って一対のネジ孔１０８，１０９が設けられている。
【００２８】
センサ基板１０２は、ＣＣＤやＣＭＯＳ等のイメージセンサを実装した基板である。このセンサ基板１０２は、長方形状の板材からなり、その長手方向の両辺は、後述する締結用板金１０３の一対の突出片１０４，１０５間に挿入できるように形成されている。つまり、一対の突出片１０５，１０６の間隔は、センサ基板１０２の調整される動きしろを考慮して決められている。
そして、このセンサ基板１０２の固定部材１０１側の面で、その固定部材１０１に設けられている不図示の窓に対応した箇所には、イメージセンサ（図示せず）が実装されている。
また、このセンサ基板１０２には、固定部材１０１に設けられている位置決め用ピン１０６，１０７及びネジ孔１０８，１０９に対応した貫通孔１１０，１１１、１１２，１１３が設けられている。これら貫通孔１１０，１１１、１１２，１１３の大きさは、位置決め用ピン１０６，１０７に対するセンサ基板１０２の調整される動きしろを考慮して決められている。なお、貫通孔１１０，１１１には位置決め用ピン１０６，１０７が挿通され、貫通孔１１２，１１３にはネジ１１９，１２０が挿通される。
【００２９】
締結用板金１０３は、固定部材１０１に設けられている位置決め用ピン１０６，１０７及びネジ孔１０８，１０９の覆う大きさとされた長方形状の板材から構成されている。この締結用板金１０３は、固定部材１０１とネジ１１９，１２０の頭部との間に介在される。そして、この締結用板金１０３には、固定部材１０１の上，下辺を挟持する一対の突出片１０４，１０５が設けられている。そして、これら一対の突出片１０４，１０５の間隔は、センサ基板１０２の調整される動きしろを考慮して決められている。
また、センサ基板１０２は、センサ基板１０２と同様に、固定部材１０１に設けられている位置決め用ピン１０６，１０７及びネジ孔１０８，１０９に対応した貫通孔１１４，１１５、１１６，１１７が設けられている。なお、貫通孔１１４，１１５には位置決め用ピン１０６，１０７が挿通され、貫通孔１１６，１１７にはネジ１１９，１２０が挿通される。
【００３０】
さらに、この締結用板金１０３には、貫通孔１１６，１１７のセンサ基板１０２側の周囲に突起部１１８が設けられていている。この突起部１１８は、センサ基板１０２に食い込むことによって、締結用板金１０３の回り止めとして機能する。
この突起部１１８は、締結用板金１０３を鉄板で構成し、その鉄板に孔を開けたときのバリ取りを省略し、そのバリを突起部１１８とすることによって容易に形成することができる。
【００３１】
上記構成からなる締結機構１００を用いてセンサ基板１０２を固定部材１０１に取り付けるには、固定部材１０１にセンサ基板１０２を介在して締結用板金１０３を当接させ、それらセンサ基板１０２及び締結用板金１０３の貫通孔１１０，１１１、１１２，１１３、１１４，１１５、１１６，１１７に頭部に鍔の付いたネジ（ビス）１１９，１２０がそれぞれ挿入される。そして、ネジ１１９，１２０が固定部材１０１のネジ孔１０８，１０９に緩く螺合されてセンサ基板１０２が固定部材１０１に仮り止めされる。
次いで、センサ基板１０２は、焦点距離が合致するように調整され、その調整された位置でネジ１１９，１２０が締め付けられる。これにより、センサ基板１０２は、焦点距離が合致するように調整された状態で固定部材１０１を介してキャリッジ１ｃに取り付けられる。
【００３２】
本実施形態における締結機構１００は、センサ基板１０２とネジ１１９，１２０の頭部との間に締結用板金１０３を介在し、ネジ１１９，１２０によってセンサ基板１０２を固定部材１０１に対して締結する締結機構である。そして、本実施形態における締結機構１００において締結用板金１０３は、固定部材１０１を狭持する一対の突出片１０４，１０５を備える。つまり、本実施形態における締結機構１００によれば、締結用板金１０３が一対の突出片１０４，１０５によって固定部材１０１を狭持する。このため、ネジ１１９，１２０の回転によって締結用板金１０３が連れまわされることを抑止し、さらにセンサ基板１０２が連れまわされることを抑止することができる。
【００３３】
また、本実施形態における締結機構１００によれば、固定部材１０１から２つの位置決め用ピン１０６，１０７が突出し、締結用板金１０３にこれらの位置決め用ピン１０６，１０７が挿通する貫通孔１１４，１１５が設けられている。このため、締結用板金１０３が位置決め用ピン１０６，１０７に係止され、これによってネジ１１９，１２０の回転によって締結用板金１０３が連れまわることを抑止し、さらにセンサ基板１０２が連れまわされることを抑止することができる。
【００３４】
また、本実施形態における締結機構１００によれば、締結用板金１０３がセンサ基板１０２側に回り止め用の突起部１１８を備えている。このため、ネジ１１９，１２０の回転によって締結用板金１０３が連れまわされることを抑止し、さらにセンサ基板１０２が連れまわされることを抑止することができる。
【００３５】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００３６】
例えば、上記実施形態において、画像読取部１は、キャリッジ１ｃ内に、センサ基板１０２の他に、光源、集光レンズ、ミラー群をも設けた移動方式としたが、光源のみを移動式とし、他の構成要素を固定した固定方式とすることができる。
【００３７】
また、締結機構１００は、画像形成装置の１つのである複写機の画像読取部１に適用された例について説明したが、複写機の光走査装置７３等の他の部分に適用してもよく、さらに、複写機等の画像形成装置以外に、計測器、検査装置等の電子機器に適用することもできる。
【００３８】
また、上記実施形態においては、被締結部材がセンサ基板１０２である構成について説明した。
しかしながら、本発明はこれに限定されるものではなく、被締結部材がどのような形状を有する場合であっても、被締結部材を固定部に対して締結することができる。
【００３９】
上記実施形態においては、本発明における固定部が、キャリッジ１ｃの一部を構成する固定部材１０１である構成について説明した。
しかしながら、本発明はこれに限定されるものではない。例えば、センサ基板１０２が移動されない場合には、キャリッジ１ｃに変えて固定台等が本発明の固定部とされる。
【００４０】
また、上記実施形態において、位置決め用ピン１０６，１０７が２つである構成について説明した。
しかしながら、本発明はこれに限定されるものではなく、位置決め用ピンをさらに多数備える構成を採用しても良い。
【符号の説明】
【００４１】
Ｐ……複写機（画像形成装置）、１……画像読取部、１ａ……原稿ガラス、１ｂ……ガイドレール、１ｃ……キャリッジ（固定部）、７３……レーザスキャニングユニット（光走査装置）、３１……ハウジング、３２，３２ａ……マルチビーム光源部、３３……ポリゴンミラー、３４……ポリゴンモータ、３５……制御基板、３６ａ〜３６ｃ……光学素子、１００……締結機構、１０１……固定部材、１０２……被締結部材（センサ基板）、１０３……締結用部材、１０４，１０５……突出片、１０６，１０７……位置決め用ピン、１０８，１０９……ネジ孔、１１０，１１１，１１２，１１３，１１４，１１５，１１６，１１７……貫通孔、１１８……突起部、１１９，１２０……ネジ（ビス）
【図１】
2011157998.tif 000003
【図２】
2011157998.tif 000004
【図３】
2011157998.tif 000005
【図４】
2011157998.tif 000006